(57)【要約】【課題】部品点数の少ない簡単な構成で、テンプルを智に対して普通に開いた状態からさらに外方へ弾性的に開くことができ、当該テンプルを使用者の側頭部に適宜な圧力でフィットさせることができる、眼鏡の蝶番構造を提供する。【解決手段】眼鏡の蝶番構造１０は、智１４と連接される智側こま部１８と、その一端部が智側こま部１８に回動自在に支持され、その他端部がテンプル１６に接続される中継部材２０と、その一端側が中継部材２０に係止され、その他端側が自由端となって智側こま部１８の周端の一部に当接されるように中継部材２０に組み込まれる弾性部材２２とを含む。枢軸部１８を支点とし、智１４に対してテンプル１６を普通に開いた位置からさらに外方に開いた位置に回動させたときに、弾性部材２２の一端側が智側こま部１８により外方に押圧され、テンプル１６は、弾性部材２２の弾性反発力によって、テンプル１６が閉じられる方向へ付勢される。【選択図】図５
0003116876.tif 000002
【実用新案登録請求の範囲】
【請求項１】
眼鏡の智とテンプルとの間に配設され、前記智に対して前記テンプルを開閉自在に連結するための眼鏡の蝶番構造であって、
前記智の基端部と連接される智側こま部、
長さ方向を有し、その一端部が前記智側こま部に回動自在に支持され、その他端部が前記テンプルの基端部に接続される中継部材、および
その一端側が前記中継部材の長さ方向の中間部に係止され、その他端側が自由端となって前記智側こま部の周端の一部に当接されるように前記中継部材に組み込まれる弾性部材を含み、
前記中継部材は、
前記中継部材の長さ方向の一端部で前記智側こま部を上下から挟持し、枢軸部により前記智側こま部と軸支される対向こま部、
前記中継部材の長さ方向の他端部に配設され、前記テンプルの基端部に固定される固定部、および
前記中継部材の長さ方向の中間部に配設され、前記弾性部材が前記中継部材から外れないように保持する保持部を含み、
前記智に対して前記テンプルを普通に開いた位置ないし前記テンプルを折り畳んで閉じた位置では、前記弾性部材の弾性力によって、前記テンプルが弾性的に保持されるとともに、
前記枢軸部を支点とし、前記智に対して前記テンプルを普通に開いた位置からさらに外方に開いた位置に回動させたときに、前記弾性部材の一端側が前記智側こま部により外方に押圧され、前記テンプルは、前記弾性部材の弾性反発力によって、前記テンプルが閉じられる方向へ付勢されることを特徴とする、眼鏡の蝶番構造。
【請求項２】
前記弾性部材は、長さ方向を有する直線状部を含み、
前記智側こま部は、前記智側こま部の周端に２つの直線状部で形成された角部を含み、
前記智に対して前記テンプルを普通に開いた位置ないし前記テンプルを折り畳んで閉じた位置では、前記弾性部材の直線状部が、前記角部の頂端に当接しない位置で、前記智側こま部の２つの直線状部の一方ないし他方の前記直線状部に略沿うように配置されることを特徴とする、請求項１に記載の眼鏡の蝶番構造。
【請求項３】
前記智の基端部には、前記枢軸部を支点とし、前記智に対して前記テンプルを普通に開いた位置からさらに外方に開いた位置に回動させて前記弾性部材の一端側を前記智側こま部で外方に押圧させたときに、前記弾性部材の一端側を衝止させるストッパ部が配設されていることを特徴とする、請求項１または請求項２に記載の眼鏡の蝶番構造。
【請求項４】
前記弾性部材は、その一端側に前記中継部材の長さ方向の中間部に係合される係合凸部を含み、
前記中継部材は、前記係合凸部と係合される係合凹部を含むことを特徴とする、請求項１〜請求項３のいずれかに記載の眼鏡の蝶番構造。
【請求項５】
前記弾性部材は、棒状ないし板状の弾性部材を含み、
前記中継部材は、上下方向に間隔を隔てて対向配置された一対の細長プレートを含み、
前記中継部材の保持部は、前記一対の細長プレートの幅方向の一方の側端部間を少なくとも部分的に連接する連接片を含み、前記連接片は、前記一対の細長プレートの幅方向の一方の側端部よりも外方へ膨らむように配設されるとともに、
前記弾性部材の一端側が前記中継部材に係止され、前記弾性部材の自由端側が前記連接片の内面側に配置されるように、前記弾性部材が前記中継部材に組み込まれた構造を有することを特徴とする、請求項１〜請求項４のいずれかに記載の眼鏡の蝶番構造。
【考案の詳細な説明】
【技術分野】
【０００１】
本願考案は、眼鏡の蝶番構造に関し、眼鏡の智およびテンプル間に配設され、智に対してテンプルを回動自在（開閉自在）に連結する眼鏡の蝶番構造に関する。
【背景技術】
【０００２】
本願考案の背景となる従来の先行技術には、眼鏡の智に対してテンプルを回動自在に連結する蝶番構造として、たとえば蝶番のひま部品の中にコイルばね、捩りばね、板ばね等のばね機構が組み込まれた、所謂、ばね蝶番が知られている。この従来のばね蝶番では、テンプルを普通に開いた状態からばね機構による弾性力に抗してテンプルをさらに外方へ広げてから眼鏡を掛けることができる。また、眼鏡を掛けたときには、該弾性力による適度な締付力によってテンプルを側頭部にフィットさせることができる。
ところが、この従来のばね蝶番は、その構成部品が微小で部品点数も多く、組込構造が複雑化しているので、組み立て作業および構成部品の交換作業等のメンテナンス作業が非常に面倒で高度な技術を要するものとなり、コストも高くついていた。
一方では、上述した問題点を解決するために、ばね機構がコマ部品の外部に配設された眼鏡フレーム用バネ丁が提案されている（例えば、特許文献１参照）。この眼鏡フレーム用バネ丁番は、テンプルの基端側に円筒状のスライダーとコイルバネとが各々進退可能に被嵌されていて、テンプルの所定の位置に形成した雄ねじ部分に、内周に雌ねじを有する円筒状のストッパーが螺合されている。さらに、ストッパーによりコイルバネの一端を支持しながらコイルバネを圧縮付勢させて、圧縮状態のコイルバネの付勢力を用いることにより、ヨロイの端部に取り付けられたコマ部品の先端部に形成されたカム面に対し、スライダーを付勢状態で接触させる構成となっている。そのため、この眼鏡フレーム用バネ丁番では、スライダーとコマ部品のカム面とが協働し、ヨロイに対してテンプルを所要の開閉位置で弾性的に保持可能としている。
この眼鏡フレーム用バネ丁番によれば、コマ部品の外部にコイルバネ等のばね機構が配設されているため、コマ部品の内部にばね機構が配設されているものに比べて、構成が簡素化されている。
【０００３】
【特許文献１】登録実用新案第３０２２９４４号公報（第２頁、図１−図３）
【考案の開示】
【考案が解決しようとする課題】
【０００４】
しかしながら、この眼鏡フレーム用バネ丁番では、コマ部品の先端部にカム面が形成する必要があり、部品点数も多いため、組み立て作業および構成部品の交換作業等のメンテナンス作業が非常に面倒で手間が掛かるという問題点は未だ十分には解消されていないものとなっている。
【０００５】
それゆえに、本願考案の主たる目的は、部品点数の少ない簡単な構成で、テンプルを智に対して普通に開いた状態からさらに外方へ弾性的に開くことができ、当該テンプルを使用者の側頭部に適宜な圧力でフィットさせることができる、眼鏡の蝶番構造を提供することである。
【課題を解決するための手段】
【０００６】
請求項１にかかる本願考案は、眼鏡の智とテンプルとの間に配設され、智に対してテンプルを開閉自在に連結するための眼鏡の蝶番構造であって、智の基端部と連接される智側こま部と、長さ方向を有し、その一端部が智側こま部に回動自在に支持され、その他端部がテンプルの基端部に接続される中継部材と、その一端側が中継部材の長さ方向の中間部に係止され、その他端側が自由端となって智側こま部の周端の一部に当接されるように中継部材に組み込まれる弾性部材とを含み、中継部材は、中継部材の長さ方向の一端部で智側こま部を上下から挟持し、枢軸部により智側こま部と軸支される対向こま部と、中継部材の長さ方向の他端部に配設され、テンプルの基端部に固定される固定部と、中継部材の長さ方向の中間部に配設され、弾性部材が中継部材から外れないように保持する保持部とを含み、智に対してテンプルを普通に開いた位置ないしテンプルを折り畳んで閉じた位置では、弾性部材の弾性力によって、テンプルが弾性的に保持されるとともに、枢軸部を支点とし、智に対してテンプルを普通に開いた位置からさらに外方に開いた位置に回動させたときに、弾性部材の一端側が智側こま部により外方に押圧され、テンプルは、弾性部材の弾性反発力によって、テンプルが閉じられる方向へ付勢されることを特徴とする、眼鏡の蝶番構造である。
請求項１にかかる本願考案では、枢軸部を支点に智に対してテンプルを回動させ、テンプルを普通に開いた位置からさらに外方に開くと、中継部材も枢軸部を支点にしてテンプルと連動して外方に回動する。このとき、弾性部材の一端側は、智側こま部により外方に押圧され、該弾性部材がテンプルの開き方向に弾性変形し、その弾性反発力によって中継部材がテンプルの閉じる方向に付勢されて弾性部材のばね性が発揮される。そのため、テンプルは、中継部材とともに元の普通に開いた状態の位置に復帰する。
請求項２にかかる本願考案は、請求項１にかかる考案に従属する考案であって、弾性部材は、長さ方向を有する直線状部を含み、智側こま部は、智側こま部の周端に２つの直線状部で形成された角部を含み、智に対してテンプルを普通に開いた位置ないしテンプルを折り畳んで閉じた位置では、弾性部材の直線状部が、角部の頂端に当接しない位置で、智側こま部の２つの直線状部の一方ないし他方の直線状部に略沿うように配置されることを特徴とする、眼鏡の蝶番構造である。
請求項２にかかる本願考案では、智に対してテンプルを普通に開いた状態ないしテンプルを折り畳んで閉じた状態のとき、弾性部材の直線状部が、角部の頂端に当接しない位置で且つ智側こま部の２つの直線状部の一方ないし他方の直線状部に略沿うように位置している。この場合、弾性部材は、智側こま部の角部で外方に押圧付勢されることがない状態に位置している。すなわち、テンプルは、弾性部材の弾性力によって、智に対してテンプルを普通に開いた位置ないしテンプルを折り畳んで閉じた位置に弾性的に保持される。
請求項３にかかる本願考案は、請求項１または請求項２にかかる考案に従属する考案であって、智の基端部には、枢軸部を支点とし、智に対してテンプルを普通に開いた位置からさらに外方に開いた位置に回動させて弾性部材の一端側を智側こま部で外方に押圧させたときに、弾性部材の一端側を衝止させるストッパ部が配設されていることを特徴とする、眼鏡の蝶番構造である。
請求項３にかかる本願考案では、枢軸部を支点とし、智に対してテンプルを普通に開いた位置からさらに外方に開いた位置に回動させたときに、弾性部材の一端側が智側こま部で外方に押圧され、智の基端側に押しやられて変位するが、この場合、弾性部材の一端側がストッパ部に衝止されるため、テンプルの無理な拡開が制止されるものとなる。
請求項４にかかる本願考案は、請求項１〜請求項３のいずれかにかかる考案に従属する考案であって、弾性部材は、その一端側に中継部材の長さ方向の中間部に係合される係合凸部を含み、中継部材は、係合凸部と係合される係合凹部を含むことを特徴とする、眼鏡の蝶番構造である。
請求項４にかかる本願考案では、弾性部材の係合凸部と中継部材の係合凹部とが係合されるため、弾性部材の一端側を中継部材に安定して係止させることが可能となる。
請求項５にかかる本願考案は、請求項１〜請求項４のいずれかにかかる考案に従属する考案であって、弾性部材は、棒状ないし板状の弾性部材を含み、中継部材は、上下方向に間隔を隔てて対向配置された一対の細長プレートを含み、中継部材の保持部は、一対の細長プレートの幅方向の一方の側端部間を少なくとも部分的に連接する連接片を含み、連接片は、一対の細長プレートの幅方向の一方の側端部よりも外方へ膨らむように配設されるとともに、弾性部材の一端側が中継部材に係止され、弾性部材の自由端側が連接片の内面側に配置されるように、弾性部材が中継部材に組み込まれた構造を有することを特徴とする、眼鏡の蝶番構造である。
請求項５にかかる本願考案では、一対の細長プレートの幅方向の一方の側端部間が連接片で連接され、弾性部材の一端側が中継部材に係止され、弾性部材の自由端側が連接片の内面側に配置されているので、弾性部材を中継部材により一層安定した状態で組み込むことが可能となる。
【考案の効果】
【０００７】
本願考案にかかる眼鏡の蝶番構造では、部品点数の少ない簡単な構成で、テンプルを智に対して普通に開いた状態からさらに外方へ弾性的に開くことができ、当該テンプルを使用者の側頭部に適宜な圧力でフィットさせることができる、眼鏡の蝶番構造が得られる。
【０００８】
この考案の上述の目的，その他の目的，特徴および利点は、図面を参照して行う以下の考案を実施するための最良の形態の詳細な説明から一層明らかとなろう。
【考案を実施するための最良の形態】
【０００９】
図１は、本願考案にかかる実施形態の一例を示す要部分解斜視図である。図２は、図１の実施形態例に係る眼鏡の蝶番構造の開閉動作を説明するための説明図であって、テンプルを普通に開いた状態を示す説明図である。図３は、図２の要部をテンプルの外方側から見た側面図であり、図４は、図２の要部をテンプルの内方側から見た側面図である。本実施形態例では、本願考案にかかる眼鏡の蝶番構造が適用された眼鏡の一例について説明する。
【００１０】
すなわち、眼鏡１０は、図１および図２等に示すように、蝶番構造１２を含む。蝶番構造１２は、眼鏡１０の智１４とテンプル１６との間に配置され、智１４に対してテンプル１６を回動自在（開閉自在）に連結するものである。この眼鏡の蝶番構造１２は、智１４の基端部１４Ａと連接される智側こま部１８と、長さ方向を有し、その一端部が智側こま部１８に回動自在に支持され、その他端部がテンプル１６の基端部１６Ａに接続される中継部材２０と、その一端側が中継部材２０の長さ方向の中間部に係止され、その他端側が自由端となって智側こま部１８の周端の一部に当接されるように中継部材２０に組み込まれる弾性部材２２とを含む。
【００１１】
智側こま部１８は、その内周面に雌ねじが形成されたねじ孔１８ａを有するとともに、該智側こま部１８の周端面に、２つの直線状部２４，２６と１つの弧状部２８とを有する。一方の直線状部２４は、智１４の基端部１４Ａと連接され、他方の直線状部２６は、弧状部２８と連接されている。一方の直線状部２４は、他方の直線状部２６よりも長く形成され、２つの直線状部２４，２６により、智側こま部１８の周端面には、略直角の角部２９が設けられる。また、智１４の基端部１４Ａには、智側こま部１８の直線状部２４との間に、ストッパ部としてのたとえば段差部３０が配設されている。
【００１２】
中継部材２０は、中継部材本体２０Ａを含む。中継部材本体２０Ａは、上下方向に間隔を隔てて対向配置された一対の細長プレート３１ａ，３１ｂを備え、一対の細長プレート３１ａ，３１ｂは、連接片３４によって連接される。連接片３４は、中継部材本体２０Ａの長さ方向の中間部に配設され、一対の細長プレート３１ａ，３１ｂの幅方向の一方の側端部間を少なくとも部分的に連接するものである。また、連接片３４は、一対の細長プレート３１ａ，３１ｂの幅方向の一方の側端部よりも外方へ膨らむように配設されている。
この連接片３４は、一対の細長プレート３１ａ，３１ｂを連接する機能とともに、弾性部材２２が中継部材２０から外れないように保持する保持部材としての機能をも有するものである。
【００１３】
また、中継部材本体２０Ａの長さ方向の一端には、智側こま部１８を上下から挟持する対向こま部３２が配設される。この対向こま部３２は、上下一対の対向こま片３２ａ，３２ｂを含み、対向こま片３２ａ，３２ｂは、それぞれ、たとえば円形の貫通孔３６ａ，３６ｂを有する。対向こま片３２ａ，３２ｂは、それぞれ、細長プレート３１ａ，３１ｂに連接されている。
さらに、中継部材本体２０Ａの長さ方向の他端には、テンプル１６の基端部１６Ａに固定される固定部３８が配設されている。この固定部３８は、上下一対の固定片３８ａ，３８ｂを含み、固定片３８ａ，３８ｂは、それぞれ、ロウ付けおよび接着剤等の固着手段によって、テンプル１６の基端部１６Ａに固着される。
【００１４】
中継部材本体２０Ａの長さ方向の一端側では、対向こま部３２がたとえば雄ねじ４０ａを備えた蝶番ねじ４０によって、智側こま部１８と軸支されている。この場合、先ず、智側こま部１８が一対の対向こま片３２ａ，３２ｂ間に配置される。次に、蝶番ねじ４０が、対向こま片３２ａの貫通孔３４ａ，智側こま部１８のねじ孔１８ａおよび対向こま片３２ｂの貫通孔３４ｂに挿通される。そして、蝶番ねじ４０の雄ねじ４０ａと智側こま部１８のねじ孔１８ａとが螺合される。つまり、蝶番ねじ４０は、中継部材２０を介して、智１４およびテンプル１６を回動自在に支持する枢軸部としての機能を有するものである。
【００１５】
弾性部材２２は、直線状部を有するたとえば棒状ないし板状の弾性部材を含むものであるが、本実施形態例では、例えば、チタン合金，βチタン等のばね性を有する金属線材が、弾性部材２２として用いられている。この場合、弾性部材２２は、たとえば断面円形の金属線材からなる弾性部材本体２２Ａを含む。弾性部材本体２２Ａは、直線状部２２ａを有し、弾性部材本体２２Ａの長手方向の一端側には、係合凸部４２が配設される。係合凸部４２は、上下方向に延びるたとえば断面円形の棒状片４２ａと、この棒状片４２ａを抱き込むように配置されるたとえば鉤状片４２ｂとを有する。弾性部材本体２２Ａ、棒状片４２ａおよび鉤状片４２ｂは、一体的に形成されている。
【００１６】
一方、中継部材２０の長さ方向の中間部には、連接片３４の近傍に、上記した係合凸部４２と係合させるための係合凹部４４が配設される。係合凹部４４は、上下方向に間隔を隔てて並列された２つの切欠き部４４ａ，４４ｂを含む。２つの切欠き部４４ａ，４４ｂは、それぞれ、中継部材本体２０Ａの２つの細長プレート３１ａ，３１ｂに設けられている。そして、弾性部材２２の係合凸部４２が中継部材２０の係合凹部４４に係合されることにより、弾性部材２２の長手方向の一端側が中継部材２０の長さ方向の中間部に係止される。
【００１７】
本実施形態例では、弾性部材２２の長手方向の他端側（すなわち、弾性部材２２の自由端側）が連接片３４の開口部３４ａに挿通され、連接片３４の内面側に配置され、さらに、係合凸部４２の棒状片４２ａが係合凹部４４の上側の切欠き部４４ａに係止され、係合凸部４２の鉤状片４２ｂが係合凹部４４の下側の切欠き部４４ｂに係止されるようにして、弾性部材２２が中継部材２０に組み込まれる。
【００１８】
本実施形態例では、図５に示すように、枢軸部となる蝶番ねじ４０を支点とし、智１４に対してテンプル１６を普通に開いた位置からさらに外方に開いた位置に回動させたときに、弾性部材２２の一端側が智側こま部１８により外方に押圧され、テンプル１６は、弾性部材２２の弾性反発力によって、テンプル１６が閉じられる方向へ付勢される。すなわち、蝶番ねじ４０を支点に智１４に対してテンプル１６を回動させ、テンプル１６を普通に開いた位置からさらに外方に開くと、中継部材２０も蝶番ねじ４０を支点にしてテンプル１６と連動して外方に回動する。この場合、弾性部材２２の長手方向の一端側は、智側こま部１８により外方に押圧され、弾性部材２２がテンプル１６の開き方向に弾性変形し、その弾性反発力によって中継部材２０がテンプル１６の閉じる方向に付勢されて弾性部材２２のばね性が発揮されるので、テンプル１６は、中継部材２０とともに元の普通に開いた状態の位置に復帰することができる。
なお、智１４に対してテンプル１６を普通に開いた位置からさらに外方に開いた位置に回動させたときに、弾性部材２２の長手方向の一端側が智側こま部１８で外方に押圧され、智１４の基端１４Ａ側に押しやられて変位するが、この場合、弾性部材２２の長手方向の一端側がストッパ部３０に衝止されるため、テンプル１６の無理な拡開が制止される。
【００１９】
したがって、本実施形態例では、テンプル１６を智１４に対して普通に開いた状態からさらに外方へ弾性的に開くことができ、当該テンプル１６を使用者の側頭部に適宜な圧力でフィットさせることができるものとなる。しかも、本実施形態例では、蝶番構造１２の部品構成が、智側こま部１８、中継部材２０および弾性部材２２と、少なく、且つ、簡単な構成となっているため、組み立て作業および構成部品の交換作業等のメンテナンス作業が極めて簡便なものとなる。
【００２０】
本実施形態例では、図２ないし図７に示すように、智１４に対してテンプル１６を普通に開いた位置ないしテンプル１６を折り畳んで閉じた位置では、弾性部材２２の直線状部２２ａが、智側こま部１８の角部２９の頂端２９ａに当接しない位置で、且つ、智側こま部１８の２つの直線状部２４ないし２６に略沿うように配置される。この場合、弾性部材２２の直線状部２２ａが智側こま部１８の角部２９に当接しながら回動し、当該角部２９の頂端２９ａに当接しない位置で且つ智側こま部１８の２つの直線状部２４ないし２６に略沿う位置で、中継部材２０とともにテンプル１６が停止される。つまり、図２，図５，図６および図７等に示すように、智側こま部１８の角部２９の頂端２９ａの周りを当接しながら回動する弾性部材２２の回動角度位置によって弾性部材の弾性反発力を異ならしめるものであり、テンプル１６を折り畳んで閉じた位置（図７参照）、および、普通に開いた位置（図２参照）で、それぞれ、弾性的に保持することができる。
【図面の簡単な説明】
【００２１】
【図１】本願考案にかかる実施形態の一例を示す要部分解斜視図である。
【図２】図１の実施形態例に係る眼鏡の蝶番構造の開閉動作を説明するための説明図であって、テンプルを普通に開いた状態を示す説明図である。
【図３】図２の要部をテンプルの外方側から見た側面図である。
【図４】図２の要部をテンプルの内方側から見た側面図である。
【図５】図１の実施形態例に係る眼鏡の蝶番構造の開閉動作を説明するための説明図であって、テンプルを普通に開いた状態からさらに外方に開いた状態を示す説明図である。
【図６】図１の実施形態例に係る眼鏡の蝶番構造の開閉動作を説明するための説明図であって、テンプルを普通に開いた状態から内方に閉じる途中の状態を示す説明図である。
【図７】図１の実施形態例に係る眼鏡の蝶番構造の開閉動作を説明するための説明図であって、テンプルを内方に閉じた状態を示す説明図である。
【符号の説明】
【００２２】
１０  眼鏡
１２  蝶番構造
１４  智
１４Ａ  智の基端
１６  テンプル
１６Ａ  テンプルの基端
１８  智側こま部
１８ａ  ねじ孔
２０  中継部材
２２  弾性部材
２４，２６  直線状部
２８  弧状部
２９  角部
２９ａ  頂端
３０  段差部
３１ａ，３１ｂ  一対の細長プレート
３２  対向こま部
３２ａ，３２ｂ  一対の対向こま片
３４  連接片
３６ａ，３６ｂ  貫通孔
３８  固定部
３８ａ，３８ｂ  一対の固定片
４０  蝶番ねじ
４０ａ  雄ねじ
４２  係合凸部
４２ａ  棒状片
４２ｂ  鉤状片
４４  係合凹部
４４ａ，４４ｂ  切欠き部
【図１】
0003116876.tif 000003
【図２】
0003116876.tif 000004
【図３】
0003116876.tif 000005
【図４】
0003116876.tif 000006
【図５】
0003116876.tif 000007
【図６】
0003116876.tif 000008
【図７】
0003116876.tif 000009